(57)【要約】      （修正有）【課題】吸引力が大きく、油煙を素早く捕集、清浄化できる空気清浄機を提供する。【解決手段】空気清浄機は、清浄機の技術分野に属し、装着サポータ、ケース２、油煙フィルタスクリーン３及び吸気機構４を有する。ケースは、装着サポータに設置され、その内部に、油煙が通過する第１油煙通路５と、第１油煙通路と連通される第２油煙通路６とが設けられる。油煙フィルタスクリーンは、ケースの内部に設置され、且つ第１油煙通路と第２油煙通路との間に位置する。吸気機構は、ケースの内部に設置され、第２油煙通路の第１油煙通路から離間する端に位置する。空気清浄機により、油煙がケースの内部に流れ込むとき、順にケースの内部の第１油煙通路及び第２油煙通路を通過して２回集中され、ケースの内部に吸入される油煙を合流させる。さらに、第２油煙通路の設置により、吸気機構で生成される負圧源が油煙フィルタスクリーンと吸気機構との間に位置するようになるので、油煙フィルタスクリーンの吸気機構の吸引力への影響を避けることができる。【選択図】図３
0003231278.tif 000002
【実用新案登録請求の範囲】
【請求項１】
装着サポータと、
内部に、油煙が通過する第１油煙通路と、前記第１油煙通路と連通される第２油煙通路とが設けられ、且つ前記装着サポータに設置されるケースと、
前記ケースの内部に設置され、且つ前記第１油煙通路と前記第２油煙通路との間に位置し、前記ケースの内部を通過する油煙をろ過するための油煙フィルタスクリーンと、
前記ケースの内部に設置され、前記第２油煙通路の前記第１油煙通路から離間する端に位置し、油煙を前記ケースの内部に吸入するための吸気機構と、を有する
ことを特徴とする空気清浄機。
【請求項２】
前記ケースの出口に設置され、且つ前記ケースの横断面を覆う消臭フィルタスクリーンをさらに有し、
前記消臭フィルタスクリーンと前記油煙フィルタスクリーンとは、それぞれ前記吸気機構の両側に位置する
ことを特徴とする請求項１に記載の空気清浄機。
【請求項３】
前記ケースの出口に覆設し、前記消臭フィルタスクリーンを装着するための装着背板と、
前記装着背板と前記ケースとの間に設置され、前記装着背板を前記ケースの出口に挿着固定するための固定構造と、をさらに有する
ことを特徴とする請求項２に記載の空気清浄機。
【請求項４】
前記固定構造は、
前記装着背板のケースに近接する側の面に設けられる複数の固定用挿入柱と、
前記ケース内に設けられ、前記固定用挿入柱を収容するための収容孔と、
前記収容孔内に設置され、且つ前記収容孔と前記固定用挿入柱との間に位置し、前記固定用挿入柱を前記収容孔内に圧着するための弾性スリーブと、を備える
ことを特徴とする請求項３に記載の空気清浄機。
【請求項５】
前記装着背板の前記ケースに近接する側の面に、さらに消臭フィルタスクリーンを圧着するための複数の第１圧着構造が設置され、複数の前記第１圧着構造が、いずれも消臭フィルタスクリーンの周りに設置されることを特徴とする請求項３に記載の空気清浄機。
【請求項６】
前記ケースの内部には、さらに、前記油煙フィルタスクリーンを支持するためのフィルタスクリーンサポートが設置され、前記フィルタスクリーンサポートに、前記油煙フィルタスクリーンを前記フィルタスクリーンサポートに圧着するための第２圧着構造が周設されることを特徴とする請求項１又は２に記載の空気清浄機。
【請求項７】
前記第２圧着構造は、圧着ブロック及び複数の圧着フックを備え、
前記圧着ブロックが前記フィルタスクリーンサポートの中部に設けられ、前記油煙フィルタスクリーンに前記圧着ブロックが通過する逃げ孔が設けられ、前記逃げ孔の長さが前記圧着ブロックの長さよりも短く、
前記圧着フックがいずれも前記フィルタスクリーンサポートの周縁部に設置される
ことを特徴とする請求項６に記載の空気清浄機。
【請求項８】
前記ケースは、
前記装着サポータに設置され、前記吸気機構を固定装着するための第１筒状体と、
前記第１筒状体の開口部に取り外し可能に設置され、前記第１筒状体の入口と連通され、前記油煙フィルタスクリーンを装着するための第２筒状体と、
前記第１筒状体と前記第２筒状体との間に設置され、前記第２筒状体を前記第１筒状体の開口部に固定装着されるための挿着構造と、を備える
ことを特徴とする請求項１又は２に記載の空気清浄機。
【請求項９】
前記挿着構造は、
前記第１筒状体の端面に設置され、且つ前記第１筒状体の周方向に沿って設置され、その内壁に挿着板の長さ方向に沿う嵌装凹溝が設けられる挿着板と、
前記第２筒状体の端部の側壁に設けられ、前記挿着板を収容するためのものであり、その底面にさらに嵌装凹溝と対応する嵌装リブが設けられる収容凹溝と、を備える
ことを特徴とする請求項８に記載の空気清浄機。
【請求項１０】
前記挿着板の端面には、さらに、前記第１筒状体と前記第２筒状体との間を密封するための密封係合ブロックが設けられ、前記第２筒状体の端部には、さらに、前記密封係合ブロックを収容するための密封溝が設けられることを特徴とする請求項９に記載の空気清浄機。
【考案の詳細な説明】
【技術分野】
【０００１】
本考案は、清浄機技術分野に属し、具体的に、空気清浄機に関する。
【背景技術】
【０００２】
人々の生活レベルの向上に伴い、油煙が出やすい火鍋や、焼き物等の卓上料理は、よく出てくるものになる。油煙の発生が食事時の気持ちに影響し、食事する際に大量な油煙が吸い込まれると健康にも影響が与えられる。このため、卓上空気清浄機を装着することで食事する際に発生する油煙を清浄化して除去する必要がる。しかしながら、従来の食上空気清浄機は、吸引力が十分ではない場合が多く、食事する際に発生する油煙を完全に清浄化することができない課題がある。
【考案の概要】
【考案が解決しようとする課題】
【０００３】
本考案は、吸引力が十分ではなく油煙を完全に清浄化することができない課題を解決できる空気清浄機を提供することを目的とする。
【課題を解決するための手段】
【０００４】
上記の目的を実現するため、本考案は、以下の技術案を採用する。
【０００５】
空気清浄機は、
装着サポータと、
内部に、油煙が通過する第１油煙通路と、前記第１油煙通路と連通される第２油煙通路とが設置され、且つ前記装着サポータに設置されるケースと、
前記ケースの内部に設置され、且つ前記第１油煙通路と前記第２油煙通路との間に位置し、前記ケースの内部を通過する油煙をろ過するための油煙フィルタスクリーンと、
前記ケースの内部に設置され、前記第２油煙通路の前記第１油煙通路から離間する端に位置し、油煙を前記ケースの内部に吸入するための吸気機構とを有する。
【０００６】
本考案の他の実施例として、前記空気清浄機は、前記ケースの出口に設置され、且つ前記ケースの横断面を覆う消臭フィルタスクリーンをさらに有し、前記消臭フィルタスクリーンと前記油煙フィルタスクリーンとは、それぞれ前記吸気機構の両側に位置する。
【０００７】
本考案の他の実施例として、前記空気清浄機は、
前記ケースの出口に覆設し、前記消臭フィルタスクリーンを装着するための装着背板と、
前記装着背板と前記ケースとの間に設置され、前記装着背板を前記ケースの出口に挿着固定するための固定構造と、をさらに有する。
【０００８】
本考案の他の実施例として、前記固定構造は、
前記装着背板のケースに近接する側の面に設けられる複数の固定用挿入柱と、
前記ケース内に設けられ、前記固定用挿入柱を収容するための収容孔と、
前記収容孔内に設置され、且つ前記収容孔と前記固定用挿入柱との間に位置し、前記固定用挿入柱を前記収容孔内に圧着するための弾性スリーブと、を備える。
【０００９】
本考案の他の実施例として、前記装着背板の前記ケースに近接する側の面に、さらに消臭フィルタスクリーンを圧着するための複数の第１圧着構造が設置され、複数の前記第１圧着構造が、いずれも消臭フィルタスクリーンの周縁部に設置される。
【００１０】
本考案の他の実施例として、前記ケースの内部には、さらに、前記油煙フィルタスクリーンを支持するためのフィルタスクリーンサポートが設置され、前記フィルタスクリーンサポートに、前記油煙フィルタスクリーンを前記フィルタスクリーンサポートに圧着するための第２圧着構造が周設される。
【００１１】
本考案の他の実施例として、前記第２圧着構造は、圧着ブロック及び複数の圧着フックを備え、
前記圧着ブロックが前記フィルタスクリーンサポートの中部に設けられ、前記油煙フィルタスクリーンに前記圧着ブロックが通過する逃げ孔が設けられ、前記逃げ孔の長さが前記圧着ブロックの長さよりも短く、
前記圧着フックがいずれも前記フィルタスクリーンサポートの周縁部に設置される。
【００１２】
本考案の他の実施例として、前記ケースは、
前記装着サポータに設置され、前記吸気機構を固定装着するための第１筒状体と、
前記第１筒状体の開口部に取り外し可能に設置され、前記第１筒状体の入口と連通され、前記油煙フィルタスクリーンを装着するための第２筒状体と、
前記第１筒状体と前記第２筒状体との間に設置され、前記第２筒状体を前記第１筒状体の開口部に固定装着されるための挿着構造とを備える。
【００１３】
本考案の他の実施例として、前記挿着構造は、
前記第１筒状体の端面に設置され、且つ前記第１筒状体の周方向に沿って設置され、その内壁に挿着板の長さ方向に沿う嵌装凹溝が設けられる挿着板と、
前記第２筒状体の端部の側壁に設けられ、前記挿着板を収容するためのものであり、その底面にさらに嵌装凹溝と対応する嵌装リブが設けられる収容凹溝と、を備える。
【００１４】
本考案の他の実施例として、前記挿着板の端面には、さらに、前記第１筒状体と前記第２筒状体との間を密封するための密封係合ブロックが設けられ、前記第２筒状体の端部には、さらに、前記密封係合ブロックを収容するための密封溝が設けられる。
【００１５】
本考案の空気清浄機は、以下の有益な効果を有する。
【００１６】
従来技術と比べて、ケースの内部に、油煙をケースの内部に吸入する吸気機構が設置され、ケースの内部に、さらに油煙が通過する第１油煙通路及び第１油煙通路と連通される第２油煙通路が設けられ、第１油煙通路と第２油煙通路との間に、ケースの内部を通過する油煙をろ過する油煙フィルタスクリーンが設置される。本考案の空気清浄機により、油煙がケースの内部に流れ込むとき、順にケースの内部の第１油煙通路及び第２油煙通路を通過して２回集中され、ケースの内部に吸入される油煙を合流させるので、油煙の集中効果がよりよくなる。また、第２油煙通路の設置により、吸気機構で生成される負圧源が油煙フィルタスクリーンと吸気機構との間に位置するようになるので、油煙フィルタスクリーンの吸気機構の吸引力への影響を避けることができる。これによって、本考案の空気清浄機は、生成される吸引力がより大きくなり、油煙を素早く捕集、清浄化することができる。
【図面の簡単な説明】
【００１７】
以下、本考案における実施例の技術案をより明瞭に説明するため、実施例又は従来技術の説明に必要な図面を簡単に説明する。説明する図面は、本考案の一部の実施例を示すものに過ぎない。当業者は、発明能力を用いなくても、これらの図面に基づいてその他の図面を得ることが可能である。
【図１】本考案の実施例による空気清浄機の構成模式図である。
【図２】本考案の実施例による空気清浄機の分解構成模式図である。
【図３】本考案の実施例による空気清浄機の断面模式図である。
【図４】図３のＡ部の構成の拡大模式図である。
【図５】図３のＢ部の構成の拡大模式図である。
【考案を実施するための形態】
【００１８】
本考案が解決しようとする技術課題、技術案及び有益な効果をより明瞭にするため、以下、図面及び実施例を参照しながら、本考案をより詳しく説明する。説明する具体的な実施例は、本考案を解釈するためのものに過ぎず、本考案を限定するものではない。
【００１９】
図１〜図３を参照しながら、本考案による空気清浄機を説明する。空気清浄機は、包括装着サポータ１、ケース２、油煙フィルタスクリーン３及び吸気機構４を有する。ケース２は、装着サポータ１に設置され、その内部に、油煙が通過する第１油煙通路５と、第１油煙通路５と連通される第２油煙通路６が設けられる。油煙フィルタスクリーン３は、ケース２の内部に設置され、第１油煙通路５と第２油煙通路６との間に位置し、ケース２の内部を通過する油煙をろ過するためのものである。吸気機構４は、ケース２の内部に設置され、第２油煙通路６の第１油煙通路５から離間する端に位置し、油煙をケース２の内部に吸入するためのものである。
【００２０】
本実施例による空気清浄機は、従来技術と比べて、ケース２の内部に、油煙をケース２の内部に吸入する吸気機構４が設置され、ケース２の内部に、さらに油煙が通過する第１油煙通路５及び第１油煙通路５と連通される第２油煙通路６が設けられ、第１油煙通路５と第２油煙通路６との間に、ケース２の内部を通過する油煙をろ過する油煙フィルタスクリーン３が設置される。本考案の空気清浄機により、油煙がケース２の内部に流れ込むとき、順にケース２の内部の第１油煙通路５及び第２油煙通路６を通過して２回集中され、ケース２の内部に吸入される油煙を合流させるので、油煙の集中効果がよりよくなる。また、第２油煙通路６の設置により、吸気機構４で生成される負圧源が油煙フィルタスクリーン３と吸気機構４との間に位置するようになるので、油煙フィルタスクリーン３の吸気機構４の吸引力への影響を避けることができる。これによって、本考案の空気清浄機は、生成される吸引力がより大きくなり、油煙を素早く捕集、清浄化することができるので、空気清浄機の油煙に対する清浄化効果がよりよくなる。
【００２１】
本実施例において、油煙フィルタスクリーン３は、油煙のみをろ過する通常のフィルタスクリーンであってもよいし、通常のフィルタスクリーンと活性炭フィルタスクリーンとの組合せであってもよい。吸気機構４は、通常、継続的に空気清浄機に対して吸引力を提供することができる電気ブロアを採用し、利便であり、低コストである。
【００２２】
本考案による空気清浄機の１つの具体的な実施形態として、図４及び図５に示すように、空気清浄機は、さらに、消臭フィルタスクリーン９を含む。消臭フィルタスクリーン９は、ケース２の横断面を覆うようにケース２の出口に設置される。消臭フィルタスクリーン９と油煙フィルタスクリーン３とは、それぞれ吸気機構４の両側に位置する。油煙は、油煙フィルタスクリーン３でその中の大粒な油煙分子が除去され、さらに電動送風機を経て消臭フィルタスクリーン９を通過する。消臭フィルタスクリーン９は、ろ過後の油煙の臭いを除去することができるので、ケース２の出口から排出された気体がより清浄になる。また、消臭フィルタスクリーン９と油煙フィルタスクリーン３とが吸気機構４の両側に設置されることによって、２層のフィルタスクリーンの積み重ねによる過大な抵抗で吸気機構４の吸引力を影響し、油煙が容易に吸入されず飛散することを避けることができる。
【００２３】
本実施例において、消臭フィルタスクリーン９が活性炭フィルタスクリーンであり、この場合、第１油煙通路５と第２油煙通路６との間に位置する油煙フィルタスクリーン３が油煙をろ過する普通のフィルタスクリーンである。
【００２４】
本考案による空気清浄機の１つの具体的な実施形態として、図２〜図４に示すように、空気清浄機は、さらに装着背板２３及び固定構造７を有する。装着背板２３は、ケース２の出口に覆設し、消臭フィルタスクリーン９を装着するためのものである。固定構造７は、装着背板２３とケース２との間に設置され、装着背板２３をケース２の出口に挿着固定するためのものである。装着背板２３が固定構造７を介してケース２の出口に装着され、消臭フィルタスクリーン９が装着背板２３に装着される。装着背板２３がケース２の出口に固定されると、消臭フィルタスクリーン９もケース２に装着されるので、消臭フィルタスクリーン９の装着がしっかりとなるとともに、消臭フィルタスクリーン９の交換も、迅速、利便になる。
【００２５】
本実施例において、装着背板２３の中部は、肉抜き構成からなり、気体の迅速通過を実現できるとともに、消臭フィルタスクリーン９を安定に支持することができる。これによって、消臭フィルタスクリーン９の装着がより利便になる。
【００２６】
本考案による空気清浄機の１つの具体的な実施形態として、図３及び図５に示すように、固定構造７は、固定用挿入柱７１、収容孔７２及び弾性スリーブ７３を備える。固定用挿入柱７１は、複数あり、装着背板２３のケース２に近接する側の面に設けられる。収容孔７２は、ケース２内に設けられ、固定用挿入柱７１を収容するためのものである。弾性スリーブ７３は、収容孔７２内に設置され、且つ収容孔７２と固定用挿入柱７１との間に位置し、固定用挿入柱７１と収容孔７２とを締結するためのものである。このため、固定用挿入柱７１を収容孔７２に挿入し、固定用挿入柱７１の側壁で弾性スリーブ７３を押圧して固定用挿入柱７１を固定することで、装着背板２３の装着を実現でき、力を入れて固定用挿入柱７１を収容孔７２から抜き出すことで、装着背板２３の取り外しを実現できる。これによって、装着背板２３の着脱がより利便になり、そして消臭フィルタスクリーン９の交換もより迅速に実施することができる。
【００２７】
本実施例において、弾性スリーブ７３は、ゴム材質の部品である。弾性スリーブ７３の外壁にさらに複数の滑り止め突起が設けられるので、弾性スリーブ７３の収容孔７２からの脱離を防止することができる。
【００２８】
本考案による空気清浄機の１つの具体的な実施形態として、図１〜図５に示すように、装着背板２３のケース２に近接する側の面にさらに消臭フィルタスクリーン９を圧着するための複数の第１圧着構造が設けられる。複数の第１圧着構造は、いずれも装着背板２３の周縁部に設けられる。第１圧着構造は、装着背板２３に設置される圧着フックである。圧着フックは、装着背板２３と間隔を開けて設置される固定押圧板及び固定押圧板と装着背板２３とを接続するための接続板を備える。消臭フィルタスクリーン９は、固定押圧板と装着背板２３との間の隙間に設置される。複数の圧着フックは、消臭フィルタスクリーン９の周りに均一に分布されるので、消臭フィルタスクリーン９の装着がよりしっかり、利便になる。
【００２９】
本実施例において、第１圧着構造及び第２圧着構造は、いずれもねじ締付固定を採用し、締付ねじによって油煙フィルタスクリーン３又は消臭フィルタスクリーン９を固定する。
【００３０】
本考案による空気清浄機の１つの具体的な実施形態として、図２及び図３に示すように、ケース２の内部には、さらに、油煙フィルタスクリーン３を支持するためのフィルタスクリーンサポート２４が設置され、フィルタスクリーンサポート２４に、油煙フィルタスクリーン３をフィルタスクリーンサポート２４に圧着する圧着構造が周設される。これによって、フィルタスクリーンサポート２４で油煙フィルタスクリーン３をよりよく支持することができる。さらに、圧着構造で油煙フィルタスクリーン３をフィルタスクリーンサポート２４に固定することによって、油煙フィルタスクリーン３の装着がよりしっかり、利便になる。
【００３１】
本実施例において、フィルタスクリーンサポート２４は、ケース２の横断面全体を覆って設置される肉抜き板である。これによって、気体が素早く通過することができるとともに、油煙フィルタスクリーン３をよりよく支持、固定することができる。
【００３２】
本考案による空気清浄機の１つの具体的な実施形態として、図３及び図４に示すように、第２圧着構造は、圧着ブロック２６及び圧着フック２５を備える。圧着ブロック２６は、フィルタスクリーンサポート２４の中部に設けられ、油煙フィルタスクリーン３に、圧着ブロック２６が通過する逃げ孔が設けられ、逃げ孔の長さが圧着ブロック２６の長さよりも短い。圧着フック２５は、複数あり、いずれもフィルタスクリーンサポート２４の周縁部に設置される。圧着フック２５が油煙フィルタスクリーン３の周りに設置され、圧着ブロック２６により油煙フィルタスクリーンの中部を圧着することができるので、油煙フィルタスクリーン３の装着がよりしっかり、利便になる。
【００３３】
本実施例において、第１圧着構造と第２圧着構造は、いずれもねじ締付固定を採用し、締付ねじによって油煙フィルタスクリーン３又は消臭フィルタスクリーン９を固定する。
【００３４】
本実施例において、圧着フック２５は、第１圧着構造における圧着フックの構成と同じであり、フィルタスクリーンサポート２４と間隔を開けて設置される固定押圧板及び固定押圧板とフィルタスクリーンサポート２４とを接続するための接続板を備える。圧着ブロック２６は、ブロック体及びブロック体とフィルタスクリーンサポート２４とを接続するための接続板を備える。圧着フック２５と圧着ブロック２６は、いずれもケース２と一体成形される。
【００３５】
本考案による空気清浄機の１つの具体的な実施形態として、図１〜図３に示すように、ケース２は、第１筒状体２１、第２筒状体２２及び挿着構造８を備える。第１筒状体２１は、装着サポータ１に設置され、吸気機構４を固定装着するためのものである。第２筒状体２２は、第１筒状体２１の開口部に取り外し可能に設置され、第１筒状体２１の入口と連通され、油煙フィルタスクリーン３を装着するためのものである。挿着構造８は、第１筒状体２１と第２筒状体２２との間に設置され、第２筒状体２２を第１筒状体２１の開口部に装着するためのものである。第１筒状体２１には、吸気機構４を収容するための底部が肉抜き構成からなる固定装着溝が設けられる。ケース２は、別体構成からなり、第１筒状体２１と第２筒状体２２とは、挿着構造８を介して取り外し可能に固定されるので、第２筒状体２２を取り外してケース２の開口部の汚れやすい箇所を清掃することが利便になり、第２筒状体２２の清掃も利便になる。
【００３６】
本考案による空気清浄機の１つの具体的な実施形態として、図３及び図４に示すように、挿着構造８は、挿着板８１及び収容凹溝８２を備える。挿着板８１は、第１筒状体２１の端面に設置され、第１筒状体２１の周方向に沿って設置される。挿着板８１の内壁には、挿着板８１の長さ方向に沿う嵌装凹溝８４が設けられる。収容凹溝８２は、第２筒状体２２の端部の側壁に設けられ、挿着板８１を収容するためのものである。収容凹溝８２の底面には、嵌装凹溝８４と対応する嵌装リブ８３が設けられる。挿着構造８がこのような構成を採用することによって、第１筒状体２１と第２筒状体２２の着脱が利便、迅速になり、第２筒状体２２に対する清掃も利便になる。また、嵌装リブ８３と嵌装凹溝８４との設置により、第１筒状体２１と第２筒状体２２との間の密封性もよりよくなり、第１筒状体２１と第２筒状体２２との結合箇所の気体の漏れによる吸気機構４の吸引力への影響を避けることができる。
【００３７】
本考案による空気清浄機の１つの具体的な実施形態として、図４に示すように、挿着板８１の端面には、さらに、第１筒状体２１と第２筒状体２２との間を密封するための密封係合ブロックが設けられ、第２筒状体２２の端部には、さらに、密封係合ブロックを収容するための密封溝が設けられる。密封係合ブロックと密封溝との設置により、第１筒状体２１と第２筒状体２２との間の密封性がよりよくなり、第１筒状体２１と第２筒状体２２との結合箇所の気体の漏れによる吸引力への影響を避けることができる。
【００３８】
本考案による空気清浄機の１つの具体的な実施形態として、図１及び図２に示すように、装着サポータ１は、ウエイトベース１１と、一端がウエイトベース１１にヒンジ接続されるヒンジ接続支持バー１２とを備える。ケース２には、ヒンジ接続支持バー１２の他端に取り外し可能に挿着固定される固定柱が設置される。ヒンジ接続支持バー１２とウエイトベース１１とのヒンジ接続箇所に、さらにダンパー構造が設置され、これによって、ヒンジ接続支持バー１２及びウエイトベース１１が力を受けていない場合の安定性を保つことができる。装着サポータ１がこのような構成を採用することによって、ケース２の高さ位置の調整がより利便になり、油煙の吸収及び清浄化処理も利便になる。
【００３９】
以上は、本考案の好ましい実施例に過ぎず、本考案を限定するものではない。本出願の本質及び主旨から逸脱しない限り、すべての変更、均等置換、改良等は、いずれも本考案の保護範囲内に属する。
【符号の説明】
【００４０】
１…装着サポータ
１１…ウエイトベース
１２…ヒンジ接続支持バー
２…ケース
２１…第１筒状体
２２…第２筒状体
２３…装着背板
２４…フィルタスクリーンサポート
２５…圧着フック
２６…圧着ブロック
３…油煙フィルタスクリーン
４…吸気機構
５…第１油煙通路
６…第２油煙通路
７…固定構造
７１…固定用挿入柱
７２…収容孔
７３…弾性スリーブ
８…挿着構造
８１…挿着板
８２…収容凹溝
８３…嵌装リブ
８４…収容凹溝
９…消臭フィルタスクリーン
【図１】
0003231278.tif 000003
【図２】
0003231278.tif 000004
【図３】
0003231278.tif 000005
【図４】
0003231278.tif 000006
【図５】
0003231278.tif 000007